(57)【要約】【課題】検査オーダを受信したタイミングで、検査の進行を妨げないようにする無線通信型カセッテのバッテリの交換や予備バッテリの準備を促すことができるようにする。【解決手段】無線通信型カセッテと無線通信可能な情報処理装置において、検査オーダを受信すると、その新たに取得された或いは更新された検査オーダに基づいて、無線通信型カセッテが検査に必要な消費電力量を算出し、無線通信型カセッテの最新のバッテリ残量と比較して、無線通信型カセッテを用いた検査が実施可能か否かを判定する。そして、その判定情報に基づいて、バッテリ情報を表示、例えば新規のバッテリとの交換を薦める、Ｎ個の予備バッテリの用意を促す等のメッセージを表示する。【選択図】図１
2013180061.tif 000002
【特許請求の範囲】
【請求項１】
無線通信型カセッテと無線通信可能な情報処理装置であって、
前記無線通信型カセッテのバッテリ残量を取得するバッテリ残量取得手段と、
前記無線通信型カセッテに対する検査オーダを取得もしくは更新した場合、当該検査オーダに基づいて、無線通信型カセッテが検査に必要な消費電力量を取得する検査消費電力取得手段と、
前記検査消費電力取得手段で取得された消費電力量と前記バッテリ残量取得手段で取得したバッテリ残量とに基づいて、前記無線通信型カセッテを用いた検査が実施可能か否かを判定する検査実施判定手段と、
前記検査実施判定手段での判定情報に基づいて、前記無線通信型カセッテのバッテリ情報を表示させるバッテリ情報表示手段とを備えたことを特徴とする情報処理装置。
【請求項２】
前記検査消費電力取得手段は、前記無線通信型カセッテのカセッテ毎に消費電力量を算出することを特徴とする請求項１に記載の情報処理装置。
【請求項３】
前記検査消費電力取得手段は、前記無線通信型カセッテのカセッテ種別毎に消費電力量を算出することを特徴とする請求項１に記載の情報処理装置。
【請求項４】
前記検査消費電力取得手段は、前記無線通信型カセッテに使用されるバッテリ種別毎に消費電力量を算出することを特徴とする請求項１に記載の情報処理装置。
【請求項５】
前記検査実施判定手段は、前記無線通信型カセッテが有線接続で利用される検査を前記判定の対象外とすることを特徴とする請求項１乃至４のいずれか１項に記載の情報処理装置。
【請求項６】
前記検査消費電力取得手段は、撮影時間の長さに基づき前記消費電力量を算出することを特徴とする請求項１乃至５のいずれか１項に記載の情報処理装置。
【請求項７】
前記検査実施判定手段は、無線通信型カセッテを用いた検査が実施可能か否かを判定する際に、合計バッテリで判定する、最もバッテリ残量が少ない無線通信型カセッテのバッテリ残量で判定する、及び最もバッテリ残量が多い無線通信型カセッテのバッテリ残量で判定することの少なくとも一つを実施することを特徴とする請求項３又は４に記載の情報処理装置。
【請求項８】
前記バッテリ残量取得手段は、前記無線通信型カセッテが接続されていない場合は、バッテリ残量取得の対象にしないか、満充電であるとすることを特徴とする請求項１乃至７のいずれか１項に記載の情報処理装置。
【請求項９】
前記バッテリ残量取得手段で取得するバッテリ残量の情報が更新されるたびに、前記検査実施判定手段での判定を再実施し、前記バッテリ情報表示手段による表示を更新することを特徴とする請求項１乃至８のいずれか１項に記載の情報処理装置。
【請求項１０】
前記バッテリ情報表示手段は、新規のバッテリとの交換を薦める、又は予備バッテリの用意を促すメッセージを表示することを特徴とする請求項２乃至４に記載の情報処理装置。
【請求項１１】
前記バッテリ情報表示手段は、同種別のカセッテ同士でのバッテリ交換或いは検査で使用するカセッテの交代を薦めるメッセージを表示することを特徴とする請求項３に記載の情報処理装置。
【請求項１２】
前記バッテリ情報表示手段は、同種別のバッテリを有するカセッテ同士でのバッテリ交換或いは検査で使用するカセッテの交代を薦めるメッセージを表示することを特徴とする請求項４に記載の情報処理装置。
【請求項１３】
前記バッテリ情報表示手段は、検査オーダにある検査毎に撮影可否情報を表示することを特徴とする請求項１乃至１２のいずれか１項に記載の情報処理装置。
【請求項１４】
前記バッテリ残量取得手段で取得したバッテリ残量が所定の閾値よりも少ない場合は、検査オーダを新たに取得、更新するタイミング以外でもバッテリ情報を表示することを特徴とする請求項１乃至１３のいずれか１項に記載の情報処理装置。
【請求項１５】
無線通信型カセッテと無線通信可能な情報処理装置の制御方法であって、
前記無線通信型カセッテのバッテリ残量を取得するバッテリ残量取得ステップと、
前記無線通信型カセッテに対する検査オーダを取得もしくは更新した場合、当該検査オーダに基づいて、無線通信型カセッテが検査に必要な消費電力量を取得する検査消費電力取得ステップと、
前記検査消費電力取得ステップで取得された消費電力量と前記バッテリ残量取得ステップで取得したバッテリ残量とに基づいて、前記無線通信型カセッテを用いた検査が実施可能か否かを判定する検査実施判定ステップと、
前記検査実施判定ステップでの判定情報に基づいて、前記無線通信型カセッテのバッテリ情報を表示させるバッテリ情報表示ステップとを有することを特徴とする情報処理装置の制御方法。
【請求項１６】
無線通信型カセッテと無線通信可能な情報処理装置を制御するためのプログラムであって、
前記無線通信型カセッテのバッテリ残量を取得するバッテリ残量取得手段と、
前記無線通信型カセッテに対する検査オーダを取得もしくは更新した場合、当該検査オーダに基づいて、無線通信型カセッテが検査に必要な消費電力量を取得する検査消費電力取得手段と、
前記検査消費電力取得手段で取得された消費電力量と前記バッテリ残量取得手段で取得したバッテリ残量とに基づいて、前記無線通信型カセッテを用いた検査が実施可能か否かを判定する検査実施判定手段と、
前記検査実施判定手段での判定情報に基づいて、前記無線通信型カセッテのバッテリ情報を表示させるバッテリ情報表示手段としてコンピュータを機能させるためのプログラム。
【発明の詳細な説明】
【技術分野】
【０００１】
本発明は、無線通信型カセッテと無線通信可能な情報処理装置、その制御方法及びプログラムに関する。
【背景技術】
【０００２】
従来、病院で発生する患者の医用画像情報をデジタル化して保存・伝送することにより、検査の効率化・迅速化を図ろうとする気運が高まりつつある。このため、Ｘ線撮影の分野においても、これまでのスクリーン／フィルム系に代わり、ＦＰＤ（Flat Panel Detector）等のＸ線検出器を利用したデジタルデータを出力するデジタルシステムが多く用いられるようになってきた。Ｘ線検出器に無線通信機能を設けるようなケースも増えている。
【０００３】
その中で、無線通信型カセッテのバッテリ管理について、検査中にバッテリ交換することを避けるために、現在使用中のバッテリの残量で賄える検査オーダを判定し、ある検査オーダの検査が賄えないと判定した場合、現在のバッテリ残量で賄えなくなる患者の検査の前にバッテリを交換することを促すメッセージをディスプレイに表示するシステムも提案されている（特許文献１参照）。
【先行技術文献】
【特許文献】
【０００４】
【特許文献１】特開２０１１−２００４２７号公報
【発明の概要】
【発明が解決しようとする課題】
【０００５】
無線通信型カセッテを用いた移動型Ｘ線撮影装置を使用する場合、病室を回診する前に、Ｘ線室等でネットワークに接続して検査オーダを受信してから、病室を回診する。この際、病室はネットワークに接続していないことが多い。
また、無線通信型カセッテのバッテリの充電はＸ線室等で実施され、予備バッテリもＸ線室に保管されることが殆どである。
この点に鑑みると、移動型Ｘ線撮影装置を使用する場合に、次に述べるような問題点がある。すなわち、従来はＸ線室で検査が継続して実施されることを前提としており、バッテリ残量で賄えなくなることを、バッテリ残量で賄えなくなる患者の検査の一つ前の検査の終了前に通知する。すなわち、移動型Ｘ線撮影装置を使用する場合、回診中の病室でバッテリの交換が促されることになる。そのため、予備のバッテリはＸ線室にあるために取りに帰らねばならず、検査の進行を妨げてしまうことになる。
【０００６】
本発明は上記のような点に鑑みてなされたものであり、検査オーダを受信したタイミングで、検査の進行を妨げないようにする無線通信型カセッテのバッテリの交換や予備バッテリの準備を促すことができるようにすることを目的とする。
【課題を解決するための手段】
【０００７】
本発明の情報処理装置は、無線通信型カセッテと無線通信可能な情報処理装置であって、前記無線通信型カセッテのバッテリ残量を取得するバッテリ残量取得手段と、前記無線通信型カセッテに対する検査オーダを取得もしくは更新した場合、当該検査オーダに基づいて、無線通信型カセッテが検査に必要な消費電力量を取得する検査消費電力取得手段と、前記検査消費電力取得手段で取得された消費電力量と前記バッテリ残量取得手段で取得したバッテリ残量とに基づいて、前記無線通信型カセッテを用いた検査が実施可能か否かを判定する検査実施判定手段と、前記検査実施判定手段での判定情報に基づいて、前記無線通信型カセッテのバッテリ情報を表示させるバッテリ情報表示手段とを備えたことを特徴とする。
【発明の効果】
【０００８】
本発明によれば、検査オーダを受信したタイミングで、検査の進行を妨げないようにする無線通信型カセッテのバッテリの交換や予備バッテリの準備を促すことができる。
【図面の簡単な説明】
【０００９】
【図１】第１の実施形態に係る移動型Ｘ線撮影装置に搭載される情報処理装置の構成を示すブロック図である。
【図２】第１の実施形態に係る情報処理装置の処理動作を示すフローチャートである。
【図３】センサ毎の合計消費電力量の計算処理の詳細を示すフローチャートである。
【図４】第２の実施形態に係る情報処理装置の処理動作を示すフローチャートである。
【図５】センサ種別毎の合計消費電力量の計算処理の詳細を示すフローチャートである。
【図６】第３の実施形態に係る情報処理装置の処理動作を示すフローチャートである。
【図７】バッテリ種別毎の合計消費電力量の計算処理の詳細を示すフローチャートである。
【図８】検査オーダの具体例を示す図である。
【図９】撮影可否情報をワークリストに表示する具体例を示す図である。
【発明を実施するための形態】
【００１０】
以下、添付図面を参照して、本発明の好適な実施形態について説明する。
（第１の実施形態）
図１は、第１の実施形態に係る移動型Ｘ線撮影装置に搭載される情報処理装置の構成を示すブロック図である。この情報処理装置は、有線接続型カセッテと有線接続可能であるとともに、無線通信型カセッテと無線通信可能な情報処理装置である。すなわち、カセッテ（以下、センサと称する。）１０７〜１１０には無線通信型や有線接続型がある。
【００１１】
１０１はセンサ消費電力管理部であり、無線通信型センサの消費電力を管理する。
１０２はセンサバッテリ残量取得部であり、無線通信型センサのバッテリ残量を取得する。
１０３はセンサ検査消費電力算出部であり、検査オーダ受信部１０６で受信し、新たに取得された或いは更新された検査オーダに基づいて、無線通信型センサが検査に必要な消費電力量（予想消費量）を算出する。
１０４は検査実施判定部であり、センサ検査消費電力算出部１０３で計算した消費電力量とセンサバッテリ残量取得部１０２で取得した最新のバッテリ残量とに基づいて、無線通信型センサを用いた検査が実施可能か否かを判定する。
１０５はバッテリ情報表示部であり、検査実施判定部１０４での判定情報に基づいて、バッテリに関する情報であるバッテリ情報を表示する。
１０６は検査オーダ受信部であり、検査オーダを受信する。検査オーダは、検査毎に受付番号、検査日時、患者のＩＤ、患者名、使用するセンサ等の項目を含む。
【００１２】
本実施形態において、センサ１０７〜１１０にはＡ，Ｂ，Ｃ，Ｄという種類があり、センサＡ，Ｂ，Ｃは有線接続も可能な無線通信型センサで、センサＤは有線接続型センサであるとする。また、センサＡ，ＢはＸタイプのバッテリを使用し、センサＣはＹタイプのバッテリを使用する。また、センサＡを２台（Ａ１，Ａ２）、センサＢ，Ｃ，Ｄを１台ずつ（Ｂ１，Ｃ１，Ｄ１）有しているとする。
【００１３】
図２に、本実施形態に係る情報処理装置の処理動作を示す。検査オーダ受信部１０６で検査オーダを受信することにより、検査オーダが新たに取得或いは更新される（ステップＳ２０１）。
センサ検査消費電力算出部１０３は、受信した検査オーダにある全ての検査を１つずつ見ていき（ステップＳ２０２〜Ｓ２０４）、センサ毎の合計消費電力量を計算する（ステップＳ２０３）。この計算は、撮影時間（Ｘ線蓄積時間、長時間撮影の場合は消費電力がかかる）、バッテリの使用回数や経年による劣化も考慮する。
図３に、ステップＳ２０３のセンサ毎の合計消費電力の計算処理の詳細を示す。検査オーダに基づいて、検査で使用するセンサが無線通信型センサであるか否かを判断し（ステップＳ３０１）、無線通信型センサである場合、センサ毎に合計消費電力量を計算する（ステップＳ３０２〜Ｓ３０６）。なお、無線通信型センサでも、有線接続で利用される検査は対象外とし、合計消費電力量の算出対象から外す。
【００１４】
次に、検査実施判定部１０４は、登録されている全ての無線通信型センサを１つずつ見ていき（ステップＳ２０５〜Ｓ２０９）、ステップＳ２０３で計算した合計消費電力量とセンサバッテリ残量取得部１０２で取得した最新のバッテリ残量とを比較し（ステップＳ２０６）、バッテリ残量が不足するか否かを判断する（ステップＳ２０７）。その結果、バッテリ残量が不足すると判断された場合、バッテリ情報表示部１０５にバッテリ情報を表示する（ステップＳ２０８）。バッテリ残量が不足しないと判断された場合、特にバッテリ情報は表示しない。なお、バッテリが十分であるという表示を行うようにしてもよい。
センサバッテリ残量取得部１０２は、無線通信型センサが接続されていない場合は、バッテリ残量取得の対象にしないか、満充電であるとする。
【００１５】
上述したバッテリ情報として、例えば新規のバッテリとの交換を薦める、Ｎ個の予備バッテリの用意を促す等のメッセージを表示するようにしてもよい。また、図９に示すように、ワークリスト画面に現在のバッテリでの撮影可否情報を検査毎に表記して表示するようにしてもよい。メッセージを表示する場合は、ポップアップ画面等で表示することが考えられるが、それ以外の表示方法でもよい。予備バッテリ等の情報が管理されている場合は、交換する具体的なバッテリ識別情報を表示するようにしてもよい。
【００１６】
なお、バッテリ情報の表示中にセンサを予備バッテリに入れ替える等して、センサバッテリ残量取得部１０２で取得するバッテリ残量の情報が更新されるたびに、検査実施判定部１０４での判定を再実施し、バッテリ情報表示部１０５による表示を更新する。
また、センサバッテリ残量取得部１０２で取得したバッテリ残量が明らかに少ない場合、すなわちバッテリ残量が所定の閾値よりも少ない場合は、検査オーダを新たに取得、更新するタイミング以外でもバッテリ情報を表示するようにしてもよい。
【００１７】
以上のような流れを、図８の検査オーダを例として具体的に説明する。
既述したように、センサ１０７〜１１０にはＡ，Ｂ，Ｃ，Ｄという種類があり、センサＡ，Ｂ，Ｃは有線接続も可能な無線通信型センサで、センサＤは有線接続型センサであるとする。また、センサＡ，ＢはＸタイプのバッテリを使用し、センサＣはＹタイプのバッテリを使用する。また、センサＡを２台（Ａ１，Ａ２）、センサＢ，Ｃ，Ｄを１台ずつ（Ｂ１，Ｃ１，Ｄ１）有しているとする。
また、受付番号０００１の検査は、長時間撮影のため他の検査に比べてバッテリを消費するとする。
【００１８】
この条件で検査オーダによれば、センサＡ１は受付番号００００及び０００１で使用されるので、予想消費量（センサＡ１の合計消費電力量）が５％＋１５％＝２０％であるのに対して、バッテリ残量が１０％である。そこで、バッテリを交換するか、Ｘタイプの予備バッテリを１つ持っていくように促す内容のバッテリ情報を表示する。
センサＡ２は受付番号０００２及び０００５で使用されるが、０００５では有線接続となっているので対象から外す。その結果、予想消費量（センサＡ２の合計消費電力量）が５％であるのに対して、バッテリ残量が４０％であるので問題ない。
センサＢ１は受付番号０００３のみで使用されるが、センサが未接続のためバッテリ残量を１００％で計算する。その結果、予想消費量（センサＢ１の合計消費電力量）が５％であるのに対して、バッテリ残量が１００％であるので問題ない。この後、センサからバッテリ情報が得られたら再計算する。
センサＣ１は受付番号０００４のみで使用されるが、予想消費量（センサＣ１の合計消費電力量）が５％であるのに対して、バッテリ残量が５％である。おそらく大丈夫だが、バッテリを交換するか、Ｘタイプの予備バッテリを１つ持っていく方がよいとのバッテリ情報を表示する。
センサＤ１は、有線接続型センサであるので対象外である。
【００１９】
以上のような情報処理装置の制御により、移動型Ｘ線撮影装置で有用なタイミングである検査オーダを受信したタイミング、すなわち検査オーダが新たに取得或いは更新されたタイミングで、検査の進行を妨げないようにする無線通信型センサのバッテリの交換や予備バッテリの準備を促すことができる。
【００２０】
（第２の実施形態）
次に、第２の実施形態について説明する。なお、情報処理装置及びセンサの構成は第１の実施形態と同様であり、ここではその説明を省略する。
第１の実施形態ではセンサ毎に合計消費電力を計算したが、本実施形態ではセンサ種別毎に算出する例を示す。センサ種別とはセンサの種類、本実施形態でいえばＡ，Ｂ，Ｃ，Ｄであり、同じ特徴を持つセンサであるので、検査で使用するセンサの交換が簡単に可能であるという視点からである。
【００２１】
図４に、本実施形態に係る情報処理装置の処理動作を示す。処理の流れは第１の実施形態の図２と同様であるが、ステップＳ４０２〜Ｓ４０４で、センサ検査消費電力算出部１０３は、センサ種別毎の合計消費電力量を計算する。
また、ステップＳ４０５〜Ｓ４０９で、検査実施判定部１０４は、センサ種別毎に、合計消費電力量とバッテリ残量と比較する。
図５に、ステップＳ４０３のセンサ種別毎の合計消費電力の計算処理の詳細を示す。検査オーダに基づいて、検査で使用するセンサが無線通信型センサであるか否かを判断し（ステップＳ５０１）、無線通信型センサである場合、センサ種別毎に合計消費電力量を計算する（ステップＳ５０２〜Ｓ５０５）。なお、第１の実施形態と同様、無線通信型センサでも、有線接続されている場合には、合計消費電力量の算出対象から外す。
【００２２】
本実施形態において、検査実施判定部１０４は、無線通信型センサを用いた検査が実施可能か否かを判定する際に、合計バッテリで判定する、最もバッテリ残量が少ないセンサのバッテリ残量で判定する、及び最もバッテリ残量が多いセンサのバッテリ残量で判定することの一部又は全てを実施する。
【００２３】
また、本実施形態において、バッテリ情報として、第１の実施形態で示したものに加えて、同種別のセンサ同士でのバッテリ交換或いは検査で使用するセンサ交代を薦めるメッセージを表示するようにしてもよい。
【００２４】
以上のような流れを、図８の検査オーダを例として具体的に説明する。
例えばセンサ種別Ａは受付番号００００、０００１、０００２及び０００５で使用されるが、０００５では有線接続となっているので対象から外す。その結果、予想消費量（センサ種別Ａの合計消費電力量）が２５％であるのに対して、バッテリ残量が５０％であるので問題ない。ここで、検査オーダ通りに検査を進めると、センサＡ１についてはバッテリ残量が不足する（センサＡ１の合計消費電力量が２０％であるのに対して、バッテリ残量が１０％）。一方、センサＡ２についてはバッテリ残量が余剰となる（センサＡ２の合計消費電力量が５％であるのに対して、バッテリ残量が４０％で）。そこで、センサＡ１で行う予定の検査をＡ２センサで行うように切り替えるように表示してもよいし、切り替えを自動で実施してもよい。
【００２５】
（第３の実施形態）
次に、第３の実施形態について説明する。なお、情報処理装置及びセンサの構成は第１の実施形態と同様であり、ここではその説明を省略する。
第２の実施形態ではセンサ種別毎に合計消費電力を計算したが、本実施形態ではバッテリ種別毎に算出する例を示す。バッテリ種別とはバッテリの種類、本実施形態でいえばＸタイプ、Ｙタイプであり、バッテリ種類が同じであるので、バッテリの交換が簡単に可能であるという視点からである。
【００２６】
図６に、本実施形態に係る情報処理装置の処理動作を示す。処理の流れは第１の実施形態の図２、第２の実施形態の図４と同様であるが、ステップＳ６０１〜Ｓ６０３で、センサ検査消費電力算出部１０３は、バッテリ種別毎の合計消費電力量を計算する。
また、ステップＳ６０５〜Ｓ６０９で、検査実施判定部１０４は、バッテリ種別毎に、合計消費電力量とバッテリ残量と比較する。
図７に、ステップＳ６０３のセンサ種別毎の合計消費電力の計算処理の詳細を示す。検査オーダに基づいて、検査で使用するセンサが無線通信型センサであるか否かを判断し（ステップＳ７０１）、無線通信型センサである場合、バッテリ種別毎に合計消費電力量を計算する（ステップＳ７０２〜Ｓ７０４）。なお、第１、２の実施形態と同様、無線通信型センサでも、有線接続されている場合には、合計消費電力量の算出対象から外す。
【００２７】
本実施形態において、検査実施判定部１０４は、無線通信型センサを用いた検査が実施可能か否かを判定する際に、合計バッテリで判定する、最もバッテリ残量が少ないセンサのバッテリ残量で判定する、及び最もバッテリ残量が多いセンサのバッテリ残量で判定することの一部又は全てを実施する。
【００２８】
また、本実施形態において、バッテリ情報として、第１の実施形態で示したものに加えて、同種別のバッテリを有するセンサ同士でのバッテリ交換或いは検査で使用するセンサの交代を薦めるメッセージを表示するようにしてもよい。
【００２９】
以上のような流れを、図８の検査オーダを例として具体的に説明する。
例えばバッテリ種別Ｘは受付番号００００〜０００３及び０００５で使用されるが、０００５では有線接続となっているので対象から外す。予想消費量（バッテリ種別Ｘの合計消費電力量）が３０％であるのに対して、バッテリ残量が１５０％であるので問題ない。
その結果、合計で計算すると、予想消費量が３０％で残量が１５０％であるので十分と言える。ここで、検査オーダ通りに検査を進めると、センサＡ１についてはバッテリ残量が不足する（センサＡ１の合計消費電力量が２０％であるのに対して、バッテリ残量が１０％）。一方、センサＢ１についてはバッテリ残量が１００％、センサＡ２についてはバッテリ残量が４０％あるが、センサＢ１は未接続であるので１００％とはいえ確証がない。今回の場合、全ての検査をセンサＡ２のみでも賄えるため、センサＡ１やセンサＢ１で行う予定の検査をＡ２センサで撮影するように切り替えるように表示してもよいし、切り替えを自動で実施してもよい。
【００３０】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００３１】
１０１：センサ消費電力管理部、１０２：センサバッテリ残量取得部、１０３：センサ検査消費電力算出部、１０４：検査実施判定部、１０５：バッテリ情報表示部、１０６：検査オーダ受信部、１０７〜１１１：センサ
【図１】
2013180061.tif 000003
【図２】
2013180061.tif 000004
【図３】
2013180061.tif 000005
【図４】
2013180061.tif 000006
【図５】
2013180061.tif 000007
【図６】
2013180061.tif 000008
【図７】
2013180061.tif 000009
【図８】
2013180061.tif 000010
【図９】
2013180061.tif 000011